(57)【要約】【課題】ガイド部の加工精度を向上させて適切な免震機能を維持することができる滑り支承を提供する。【解決手段】滑り支承１０は、上面にＶ形凹状の下摺接面１１ｂ１を有し構造物の下部構造体１の上部に固定される下沓１１と、下面にΛ形凹状の上摺接面１２ｂ１を有し、構造物の上部構造体２の底部に固定される上沓１２と、下摺接面１１ｂ１に対して一方向に摺動可能な下摺動面１４ａ、及び上摺接面１２ｂ１に対して一方向と直交する他方向に摺動可能な上摺動面１５ａを有する摺動子１３とを備えている。摺動子１３には、摺動面１４ａ，１５ａの両側方において、沓１１，１２の両側面に対してそれぞれ摺動可能な一対のガイド部１６，２１が設けられている。【選択図】図２
2015230033.tif 000002
【特許請求の範囲】
【請求項１】
上面にＶ形凹状の下摺接面を有し、構造物の下部構造体の上部に固定される下沓と、
下面にΛ形凹状の上摺接面を有し、構造物の上部構造体の底部に固定される上沓と、
前記下摺接面に対して一方向に摺動可能な下摺動面、及び前記上摺接面に対して前記一方向と直交する他方向に摺動可能な上摺動面を有する摺動子と、を備えた滑り支承であって、
前記摺動子には、前記下摺動面及び上摺動面のうちの少なくとも一方の摺動面の両側方において、当該一方の摺動面が摺動する沓の両側面に対してそれぞれ摺動可能な一対のガイド部が設けられていることを特徴とする滑り支承。
【請求項２】
前記ガイド部は、前記一方の摺動面が摺動する沓の側面に対して摺動可能な滑り面を有する滑り軸受を有する請求項１に記載の滑り支承。
【請求項３】
前記ガイド部は、前記摺動子の前記下摺動面の両側方に設けられている請求項１又は２に記載の滑り支承。
【請求項４】
前記ガイド部は、前記摺動子の前記上摺動面の両側方にも設けられている請求項３に記載の滑り支承。
【発明の詳細な説明】
【技術分野】
【０００１】
本発明は、滑り支承に関する。
【背景技術】
【０００２】
地震時に発生するエネルギーが、ビルや戸建住宅等の構造物に伝達するのを低減させる免震機構として、当該構造物の上部構造体と下部構造体との間に配設され、地震時に下部構造体に対して上部構造体を水平方向に滑動自在に支持する滑り支承が知られている。
このような滑り支承は、一般に、構造物の下部構造体の上部に固定される下沓と、構造物の上部構造体の底部に固定される上沓と、下沓と上沓との間に介在する摺動子とからなる（例えば、特許文献１参照）。
【０００３】
特許文献１に記載されている滑り支承は、図６に示すように、上面にＶ形凹状の下摺接面１０１ａを有する下沓１０１と、下面にΛ形凹状の上摺接面１０２ａを有する上沓１０２と、下摺接面１０１ａと上摺接面１０２ａとの間に介在する摺動子１０３とを備えている。
摺動子１０３は、下摺接面１０１ａに沿ってＸ−Ｘ方向に摺動可能なＶ形凸状の下摺動面１０３ａと、上摺接面１０２ａに沿ってＸ−Ｘ方向と直交するＹ−Ｙ方向に摺動可能なΛ形凸状の上摺動面１０３ｂとを有している。摺動子１０３の下摺動面１０３ａは、通常時には、下沓１０１の長手方向中央部において当該下沓１０１の下摺接面１０１ａに接触している。摺動子１０３の上摺動面１０３ｂは、通常時には、上沓１０２の長手方向中央部において当該上沓１０２の上摺接面１０２ａに接触している。
【０００４】
図７（ｂ）に示すように、下沓１０１には、その下摺接面１０１ａの両側方において摺動子１０３の両側面がそれぞれ摺動する一対の下ガイド部１０１ｂが形成されている。図７（ａ）に示すように、上沓１０２には、その上摺接面１０２ａの両側方において摺動子１０３の両側面がそれぞれ摺動する一対の上ガイド部１０２ｂが形成されている。下ガイド部１０１ｂと上ガイド部１０２ｂとの間には、両者が干渉しないように所定の隙間Ｓが設けられている。
これにより、摺動子１０３は、下沓１０１の一対の下ガイド部１０１ｂ同士の間においてＸ−Ｘ方向にのみ摺動可能に保持され、上沓１０２の一対の上ガイド部１０２ｂ同士の間においてＹ−Ｙ方向にのみ摺動可能に保持される。
【先行技術文献】
【特許文献】
【０００５】
【特許文献１】特開２０１３−１３０２１６号公報
【発明の概要】
【発明が解決しようとする課題】
【０００６】
上記滑り支承にあっては、図８（ａ）に示すように、沓１０１（１０２）の一対のガイド部１０１ｂ（１０２ｂ）の摺動方向の長さ寸法Ｌ’は、摺動子１０３自体の摺動方向の長さ寸法Ｌ１と、摺動子１０３の摺動距離（Ｌ２＋Ｌ３）とが必要になり、Ｘ−Ｘ方向（Ｙ−Ｙ方向）にそれぞれ長く形成しなければならない。このため、沓１０１（１０２）に各ガイド部１０１ｂ（１０２ｂ）を加工するときに、両ガイド部１０１ｂ（１０２ｂ）間の距離寸法Ｄ’の精度を摺動方向の全長に亘って一定に保つことが困難であった。
【０００７】
前記距離寸法Ｄ’の精度を一定に保つことができないと、例えば、図８（ｂ）に示すように、一対のガイド部１０１ｂ（１０２ｂ）の長手方向両端部における摺動子１０３との摺接面が互いに近づくように湾曲形成される場合がある。この場合、摺動子１０３が沓１０１（１０２）の長手方向に摺動するときに、摺動子１０３の両側面がガイド部１０１ｂ（１０２ｂ）の前記湾曲形成された部分と干渉して摺動子１０３を十分に摺動させることができないため、免震機能が低下するという問題があった。
【０００８】
本発明はこのような事情に鑑みてなされたものであり、ガイド部の加工精度を向上させて適切な免震機能を維持することができる滑り支承を提供することを目的とする。
【課題を解決するための手段】
【０００９】
本発明の滑り支承は、上面にＶ形凹状の下摺接面を有し、構造物の下部構造体の上部に固定される下沓と、下面にΛ形凹状の上摺接面を有し、構造物の上部構造体の底部に固定される上沓と、前記下摺接面に対して一方向に摺動可能な下摺動面、及び前記上摺接面に対して前記一方向と直交する他方向に摺動可能な上摺動面を有する摺動子と、を備えた滑り支承であって、前記摺動子には、前記下摺動面及び上摺動面のうちの少なくとも一方の摺動面の両側方において、当該一方の摺動面が摺動する沓の両側面に対してそれぞれ摺動可能な一対のガイド部が設けられていることを特徴としている。
【００１０】
上記のように構成された滑り支承によれば、摺動子には、摺動面の両側方において沓の両側面に対してそれぞれ摺動可能な一対のガイド部が設けられているので、ガイド部の摺動方向の長さ寸法は、摺動子自体の摺動方向の長さ寸法以下となり、摺動子の摺動距離に対応する長さが不要となる。したがって、本発明のガイド部の摺動方向の長さ寸法は、従来の沓に形成されるガイド部の摺動方向の長さ寸法よりも短くすることができるため、一対のガイド部間の距離寸法の精度を向上させることができる。これにより、摺動子がガイド部と干渉してその摺動が阻害されることがないので、適切な免震機能を維持することができる。
【００１１】
前記ガイド部は、前記一方の摺動面が摺動する沓の側面に対して摺動可能な滑り面を有する滑り軸受を有するのが好ましい。この場合、沓の側面に対する摺動子の摩擦抵抗を滑り軸受によって低減することができる。
【００１２】
前記ガイド部は、前記摺動子の前記下摺動面の両側方に設けられているのが好ましい。
従来の下沓には、Ｖ形凹状の下摺接面の両側方から一対のガイド部が立ち上がるように形成されている（図６参照）ため、下摺接面の摺動方向中央部の底部に結露水等が溜まり易い構造となっていた。これに対して、本発明の滑り支承では、摺動子の下摺動面の両側方にガイド部が設けられるため、この下摺動面が摺動する下沓にガイド部を形成する必要がない。このため、下沓の下摺接面の底部に流れた結露水等は、その底部の両側方から下沓の両側面に沿って下方に排出されるため、下沓の下摺接面に結露水等が溜まるのを防止することができる。
【００１３】
前記ガイド部は、前記摺動子の前記上摺動面の両側方にも設けられているのが好ましい。
この場合、摺動子の下摺動面及び上摺動面にガイド部がそれぞれ設けられるため、この下摺動面及び上摺動面が摺動する下沓及び上沓にガイド部を形成する必要がない。このため、本発明の滑り支承では、従来の滑り支承のように両ガイド部の間に隙間を設ける必要がないため、その隙間分だけ支承全体の高さを低く抑えることができ、構造物の上部構造体を安定した状態で支持することができる。
【発明の効果】
【００１４】
本発明の滑り支承によれば、ガイド部の加工精度を向上させて適切な免震機能を維持することができる。
【図面の簡単な説明】
【００１５】
【図１】本発明の一実施形態に係る滑り支承を示す平面図である。
【図２】図１のＡ−Ａ矢視断面図である。
【図３】図１のＢ−Ｂ矢視断面図である。
【図４】摺動子を下方から見た斜視図である。
【図５】摺動子を上方から見た斜視図である。
【図６】従来の滑り支承を分解した状態を示す斜視図である。
【図７】従来の滑り支承を示す断面図である。
【図８】（ａ）は従来の滑り支承を示す平面図であり、（ｂ）は従来の滑り支承においてガイド部の摺接面が湾曲形成された状態を示す平面図である。
【発明を実施するための形態】
【００１６】
次に、本発明の好ましい実施形態について添付図面を参照しながら説明する。
図１は、本発明の一実施形態に係る滑り支承を示す平面図である。図２は図１のＡ−Ａ矢視断面図である。図１及び図２に示すように、本実施形態の滑り支承１０は、ビルや戸建住宅等の構造物の下部構造体１に対して上部構造体２を水平方向に滑動自在に支持するものである。この滑り支承１０は、下部構造体１の上面に下ベースプレート３を介して固定される下沓１１と、上部構造体２の底面に上ベースプレート４を介して固定される上沓１２と、下沓１１と上沓１２との間に介在する摺動子１３とを備えている。
【００１７】
下沓１１は、概ね直方体状に形成されたブロック体からなる下沓本体１１ａと、その下沓本体１１ａの上面に固定された下スライドプレート１１ｂと、下沓本体１１ａの両側面にそれぞれ固定された一対の下サイドスライドプレート１１ｃとによって構成されている。下沓１１は、その長手方向を一方向（図中のＸ−Ｘ方向）に向けて配置されている。下沓本体１１ａの上面は、側面視において緩やかなＶ形凹状に形成されている。
【００１８】
下スライドプレート１１ｂ及び下サイドスライドプレート１１ｃは、ステンレス板または硬質クロムメッキされた薄板からなる。下スライドプレート１１ｂは、側面視において下沓本体１１ａの上面の形状に沿って形成されており、下スライドプレート１１ｂの上面は、摺動子１３の第１下滑り軸受１４（後述）が摺動するＶ形凹状の下摺接面１１ｂ１とされている。
下サイドスライドプレート１１ｃは、側面視において下沓本体１１ａの上面の形状に対応して緩やかなＶ形に形成されており、下サイドスライドプレート１１ｃの外側面は、摺動子１３の第２下滑り軸受１８（後述）が摺動する下案内摺接面１１ｃ１とされている。
【００１９】
図３は図１のＢ−Ｂ矢視断面図である。図１及び図３に示すように、上沓１２は、概ね直方体状に形成されたブロック体からなる上沓本体１２ａと、その上沓本体１２ａの下面に固定された上スライドプレート１２ｂと、上沓本体１２ａの両側面にそれぞれ固定された一対の上サイドスライドプレート１２ｃとによって構成されている。上沓１２は、その長手方向を下沓１１の長手方向と水平に直交するＹ−Ｙ方向に向けて配置されている。上沓本体１２ａの下面は、側面視において緩やかなΛ形凹状に形成されている。
【００２０】
上スライドプレート１２ｂ及び上サイドスライドプレート１２ｃは、ステンレス板または硬質クロムメッキされた薄板からなる。上スライドプレート１２ｂは、側面視において上沓本体１２ａの下面の形状に沿って形成されており、上スライドプレート１２ｂの下面は、摺動子１３の第１上滑り軸受１５（後述）が摺動するΛ形凹状の上摺接面１２ｂ１とされている。
上サイドスライドプレート１２ｃは、側面視において上沓本体１２ａの下面の形状に対応して緩やかなΛ形に形成されており、上サイドスライドプレート１２ｃの外側面は、摺動子１３の第２上滑り軸受２３（後述）が摺動する上案内摺接面１２ｃ１とされている。
【００２１】
図４は、摺動子１３を下方から見た斜視図である。図３及び図４に示すように、摺動子１３は、概ね正方形状に形成されたブロック体からなる摺動子本体１３ａを有している。この摺動子本体１３ａの下面は、下沓１１の下摺接面１１ｂ１に対応して、緩やかなＶ形凸状に形成されている。具体的には、摺動子本体１３ａの下面は、Ｘ−Ｘ方向の両端部から中央部に向かうにしたがって徐々に下方に突出するように形成された一対の下傾斜面１３ａ１により構成されている。
【００２２】
摺動子１３は、摺動子本体１３ａの各下傾斜面１３ａ１に固定された一対の第１下滑り軸受１４を有している。各第１下滑り軸受１４は、ＰＴＦＥ（ポリテトラフルオロエチレン）系やＰＡ（ポリアミド）系の樹脂により形成されており、その下面は、下沓１１の下摺接面１１ｂ１に対してＸ−Ｘ方向に摺動可能な下摺動面１４ａとされている。
【００２３】
図５は、摺動子１３を上方から見た斜視図である。図２及び図５に示すように、摺動子本体１３ａの上面は、上沓１２の上摺接面１２ｂ１に対応して、緩やかなΛ形凸状に形成されている。具体的には、摺動子本体１３ａの上面は、Ｙ−Ｙ方向の両端部から中央部に向かうにしたがって徐々に上方に突出するように形成された一対の上傾斜面１３ａ２により構成されている。
【００２４】
摺動子１３は、摺動子本体１３ａの各上傾斜面１３ａ２に固定された一対の第１上滑り軸受１５を有している。各第１上滑り軸受１５は、ＰＴＦＥ系やＰＡ系の樹脂により形成されており、その上面は、上沓１２の上摺接面１２ｂ１に対してＹ−Ｙ方向に摺動可能な上摺動面１５ａとされている。
【００２５】
図４に示すように、摺動子１３には、摺動子本体１３ａの下傾斜面１３ａ１の両側方に一対の下ガイド部１６が設けられている。各下ガイド部１６は、下傾斜面１３ａ１よりも下方に突出するように摺動子本体１３ａに一体に形成された下突出部１７と、この下突出部１７の内側面のＸ−Ｘ方向両端部に固定された一対の第２下滑り軸受１８とによって構成されている。第２下滑り軸受１８は、下沓１１の側面である下案内摺接面１１ｃ１に対して摺動可能な下案内滑り面１８ａを有している。
【００２６】
図５に示すように、摺動子１３には、摺動子本体１３ａの上傾斜面１３ａ２の両側方に一対の上ガイド部２１が設けられている。各上ガイド部２１は、上傾斜面１３ａ２よりも上方に突出するように摺動子本体１３ａに一体に形成された上突出部２２と、この上突出部２２の内側面のＹ−Ｙ方向両端部に固定された一対の第２上滑り軸受２３とによって構成されている。第２上滑り軸受２３は、上沓１２の側面である上案内摺接面１２ｃ１に対して摺動可能は上案内滑り面２３ａを有している。
【００２７】
これにより、摺動子１３は、下沓１１に対しては一対の下ガイド部１６によりＸ−Ｘ方向にのみ摺動可能に保持され、上沓１２に対しては一対の上ガイド部２１によりＹ−Ｙ方向にのみ摺動可能に保持される。したがって、下部構造体１と上部構造体２との間で任意の水平方向に相対変位が生じた際には、摺動子１３は、下沓１１の下摺接面１１ｂ１に対してＸ−Ｘ方向に相対変位しながら、上沓１２の上摺接面１２ｂ１に対してＹ−Ｙ方向に相対変位することで、下部構造体１と上部構造体２との間で生じる任意の水平方向（全方向）への相対変位に追随して変位させることができる。なお、摺動子１３は、図１に示すように、通常時の元位置では、下沓１１の長手方向中央部に配置されるとともに、上沓１２の長手方向中央部に配置されている。
【００２８】
本実施形態の滑り支承１０では、下沓１１の下摺接面１１ｂ１と摺動子１３の下面である下摺動面１４ａとの間の摩擦係数、および上沓１２の上摺接面１２ｂ１と摺動子１３の上面である上摺動面１５ａとの間の摩擦係数は、いずれも同一の摩擦係数μに設定されている。また、下摺接面１１ｂ１の水平面に対する傾斜角、および上摺接面１２ｂ１の水平面に対する傾斜角は、いずれも同一の傾斜角θに設定されている。
【００２９】
前記摩擦係数μおよび傾斜角θは、 ｔａｎθ＝（０．１〜０．４）μの関係を満たすように設定されているのが好ましい。これにより、摺動子１３を元位置へ復元しようとする所望の復元力を得ることができるので、地震後に滑り支承１０に残留変位が生じるのを抑制することができるとともに、構造物に生じる応答加速度が大きくなり過ぎるのを抑制することができる。
【００３０】
下部構造体１と上部構造体２との間において、Ｘ−Ｘ方向及びＹ−Ｙ方向を除く水平方向への相対変位が生じた場合、下ガイド部１６の下案内滑り面１８ａは下沓１１の側面である下案内摺接面１１ｃ１を押圧しながら摺動するとともに、上ガイド部２１の上案内滑り面２３ａは上沓１２の側面である上案内摺接面１２ｃ１を押圧しながら摺動する。このため、下沓１１の下案内摺接面１１ｃ１と下ガイド部１６の下案内滑り面１８ａとの摩擦係数、および上沓１２の上案内摺接面１２ｃ１と上ガイド部２１の上案内滑り面２３ａとの摩擦係数は、上記摩擦係数μと同様に、所望の復元力を得るために小さく設定されている。
【００３１】
以上、本実施形態の滑り支承１０によれば、摺動子１３に、その摺動面１４ａ（１５ａ）の両側方において沓１１（１２）の両側面に対してそれぞれ摺動可能な一対のガイド部１６（２１）が設けられているので、ガイド部１６（２１）の摺動方向の長さ寸法Ｌ（図４参照）は、摺動子１３自体の摺動方向の長さ寸法となり、摺動子１３の摺動距離に対応する長さが不要となる。したがって、本実施形態のガイド部１６（２１）の摺動方向の長さ寸法Ｌは、従来の沓に形成されるガイド部の摺動方向の長さ寸法よりも短くすることができるため、一対のガイド部１６（２１）間の距離寸法Ｄ（図４参照）の精度を向上させることができる。これにより、摺動子１３がガイド部１６（２１）と干渉してその摺動が阻害されることがないので、適切な免震機能を維持することができる。
【００３２】
また、ガイド部１６，２１は、対応する沓１１，１２の側面である案内摺接面１１ｃ１，１２ｃ１に対して摺動可能な滑り面１８ａ，２３ａを有する滑り軸受１８，２３を有しているため、沓１１，１２の側面に対する摺動子１３の摩擦抵抗を滑り軸受１８，２３によって低減することができる。
【００３３】
また、従来の下沓には、Ｖ形凹状の下摺接面の両側方から一対のガイド部が立ち上がるように形成されている（図６参照）ため、下摺接面の摺動方向中央部の底部に結露水等が溜まり易い構造となっていた。これに対して、本実施形態の滑り支承１０では、摺動子１３の下摺動面１４ａの両側方に下ガイド部１６が設けられているため、この下摺動面１４ａが摺動する下沓１１にガイド部を形成する必要がない。このため、下沓１１の下摺接面１１ｂ１の底部（軸方向中央部）に流れた結露水等は、その底部の両側方から下沓１１の両側面に沿って下方に排出されるため、下沓１１の下摺接面１１ｂ１に結露水等が溜まるのを防止することができる。
【００３４】
また、本実施形態の滑り支承１０では、摺動子１３の下摺動面１４ａ及び上摺動面１５ａにガイド部１６，２１がそれぞれ設けられているため、この下摺動面１４ａ及び上摺動面１５ａが摺動する下沓１１及び上沓１２にガイド部を形成する必要がない。このため、本実施形態の滑り支承１０では、従来の滑り支承のように両ガイド部の間に隙間を設ける必要がないため、その隙間分だけ支承全体の高さを低く抑えることができ、構造物の上部構造体２を安定した状態で支持することができる。
【００３５】
本発明は、上記実施形態に限定されるものではなく、特許請求の範囲に記載された発明の範囲内において適宜変更できるものである。例えば、上記実施形態では、摺動子の下側及び上側にそれぞれガイド部を設けているが、摺動子の上側及び下側のうちのいずれか一方側にのみガイド部を設け、他方側は従来と同様に沓側に設けたガイド部により摺動可能に保持されるようにしても良い。
【００３６】
また、ガイド部は、摺動子本体と一体に形成されているが、摺動子本体と別体に設けられていても良い。また、本実施形態における摺動子は、滑り軸受及びスライドプレートを介して下沓及び上沓に対して摺動するようになっているが、摩擦抵抗を低く抑えることができれば、滑り軸受やスライドプレートを介さずに、下沓及び上沓に対して摺動子を直接摺動させるようにしても良い。
【符号の説明】
【００３７】
１  下部構造体
２  上部構造体
１０  滑り支承
１１  下沓
１１ｂ１  下摺接面
１２  上沓
１２ｂ１  上摺接面
１３  摺動子
１４ａ  下摺動面
１５ａ  上摺動面
１６  下ガイド部（ガイド部）
１８  第２下滑り軸受（滑り軸受）
１８ａ  下案内滑り面（滑り面）
２１  上ガイド部（ガイド部）
２３  第２上滑り軸受（滑り軸受）
２３ａ  上案内滑り面（滑り面）
【図１】
2015230033.tif 000003
【図２】
2015230033.tif 000004
【図３】
2015230033.tif 000005
【図４】
2015230033.tif 000006
【図５】
2015230033.tif 000007
【図６】
2015230033.tif 000008
【図７】
2015230033.tif 000009
【図８】
2015230033.tif 000010